(57)【特許請求の範囲】
【請求項１】
隣接する躯体間の間隙を連結するエキスパンションジョイントであって、少なくとも一側の躯体端面に配設固定されたレール受材と、このレール受材に躯体間隙長手方向（Ｙ方向）スライド可能に連結されたスライド台座部と、このスライド台座部に取付けられ、上面部上に前記レール受材と交差する方向に向かうレール受部を設けてなるスライドホルダーと、前記躯体端面に対して垂直上下方向（Ｚ方向）斜めに配設され、かつ前記スライドホルダーのレール受部に躯体間隙幅方向（Ｘ方向）スライド可能に連結されたカバーホルダーと、カバーホルダーの躯体間隙幅方向（Ｘ方向）スライドによるスライド台座部とスライドホルダーとの取付角度の変化を自動調整可能な弾発性クリップと、前記カバーホルダーに被嵌されたカバー材とを具備した構成を有するエキスパンションジョイント。
【請求項２】
スライド台座部は、レール受材に躯体間隙長手方向（Ｙ方向）スライド可能かつ垂直上下方向（Ｚ方向）回動可能に連結してなる請求項１に記載のエキスパンションジョイント。
【請求項３】
レール受材は、凹溝内向きに丸溝状の咬合溝を備え、スライド台座部は、台座部本体の一側水平方向に突設してなる丸状膨頭突起を備え、この突起を前記レール受材の咬合溝に躯体間隙長手方向（Ｙ方向）スライド可能かつ垂直上下方向（Ｚ方向）に回動可能に連結してなる請求項２に記載のエキスパンションジョイント。
【発明の詳細な説明】
【０００１】
【発明の属する技術分野】
本発明は、隣接する建物躯体間の間隙を被閉して雨水の浸入を防止し、しかも地震などによる躯体変動を吸収することができるエキスパンションジョイントに関する。
【０００２】
【従来の技術及び発明が解決しようとする課題】
この種のエキスパンションジョイントとしては、例えば特開平８−４２００５号公報等において、図５に部分斜視図で示す如く、躯体の端部に固着した支持部材６１を、躯体固定用の板部６１１ａの先端部に連結子係合用の溝状係止部６１１ｃと防水シート６Ｓの係止用係合部６１１ｅを並設した支持部材本体６１１と、溝状係止部６１１ｃに係合する本体係止部６１２ａを一端に形成した受け部６１２ｃにボルト挿通孔６１２ｅを設けたピース形の連結子６１２との係合構成とし、連結子６１２は支持部材本体６１１の所定位置において躯体間隙内に突出させ、連結子６１２にカバー体を連結する連結部材を連結させるようにしたエキスパンションジョイントが開示されている。
【０００３】
上記エキスパンションジョイントは、両躯体に固着した両支持部材に連結部材を変動自在に連結し、この連結部材を介してカバー体を被着して躯体間隙を被閉するものであり、支持部材６１を長尺状の支持部材本体６１１とピース状の連結子６１２の係合構成とし、支持部材本体６１１を躯体に固着し、この躯体間隙側の端部に形成した連結子６１２用の溝状係止部６１１ｃに連結子６１２を係合させてあるので、係合が簡単且つ確実であるという作用効果を奏する。
【０００４】
しかしながら、上記エキスパンションジョイントは、隣接する躯体が相互に躯体間隙長手方向（この方向を以下「Ｙ方向」ともいう。）に変動した場合には、支持部材６１と連結子６１２間のスライド移動によりこれを吸収できるものの、相互に躯体間隙幅方向（この方向を以下「Ｘ方向」ともいう。）に変動した場合には、これを吸収できないという問題があった。
【０００５】
そこで、隣接する躯体がＹ方向及びＸ方向のいずれの方向に変動してもこれを吸収できるエキスパンションジョイントとして、特開平９−４０７０号公報には、図６に部分斜視図で示す如く、躯体７Ａに断面Ｃ状の係合溝７１ｂを有する長尺な固定部材７１を躯体長手方向すなわちＹ方向に沿って配設し、接合面７５ａから起立した先端部を膨頭状係合突起７５ｃとした支持部材７５を、係合溝７１ｂと係合突起７５ｃを係合させて前記固定部材７１にスライド可能に連結し、前記接合面７５ａに底板７３ａを当接させて長尺ホルダー７３を躯体間隙に渡ってすなわちＸ方向に沿って配置し、前記底板７３ａの上面に平坦な中間面を有する逆Ｗ状の弾発性クリップ７６を配置し、長尺ホルダー７３の底板７３ａに長手方向に沿って長尺な長孔７３ｄにボルト７８を通し、弾発性クリップ７６を介して支持部材７５の接合面７５ａ上に長尺ホルダー７３をスライド可能に連結し、この長尺ホルダー７３にカバー体を被嵌させるようにしたエキスパンションジョイントが開示されている。
【０００６】
かかる構成のエキスパンションジョイントによれば、両躯体７Ａ，７Ｂが相互にＹ方向へ変動した場合には、固定部材７１、支持部材７５間のＹ方向スライドによってこれを吸収し、相互にＸ方向へ変動した場合には、支持部材７５，長尺ホルダー７３間のＸ方向スライドによってこれを吸収することができる。
しかし、上記エキスパンションジョイントでは、支持部材７５，長尺ホルダー７３間のＸ方向スライド範囲が長孔７３ｄの長さに規制されるほか、そもそもこの長孔７３ｄを形成しなければならないことにより、生産性が低下するという課題があった。また、施工の段階では、ボルトとナットを使っていちいち締結してなければならない繁雑さもあった。
【０００７】
そこで本発明は、このような従来のエキスパンジョンジョインの課題を解決するため、隣接する躯体がＹ方向及びＸ方向のいずれの方向に変動しても追随することができ、しかもその追随可能な範囲が従来のものに比べて大きく、それでいて生産性が高く、好ましくは施工性にも優れたエキスパンションジョイントを提供せんとするものである。
【０００８】
【課題を解決するための手段】
かかる課題を解決するため、本発明は、隣接する躯体間の間隙を連結するエキスパンションジョイントであって、少なくとも一側の躯体端面に配設固定されたレール受材と、このレール受材に躯体間隙長手方向（Ｙ方向）スライド可能に連結されたスライド台座部と、このスライド台座部に取付けられ、上面部上に前記レール受材と交差する方向に向かうレール受部を設けてなるスライドホルダーと、前記躯体端面に対して垂直上下方向（Ｚ方向）斜めに配設され、かつ前記スライドホルダーのレール受部に躯体間隙幅方向（Ｘ方向）スライド可能に連結されたカバーホルダーと、カバーホルダーの躯体間隙幅方向（Ｘ方向）スライドによるスライド台座部とスライドホルダーとの取付角度の変化を自動調整可能な弾発性クリップと、前記カバーホルダーに被嵌されたカバー材とからなる構成を主たる構成としてエキスパンションジョイントを形成した。
【０００９】
すなわち、本発明は、レール受材をスライドするスライド台座部と、カバーホルダーとを、スライドホルダーを介して連結すると共に、このスライドホルダーの上面部上にレール受部を設けることにより、従来の如くカバーホルダーの底面に長孔を設ける必要をなくすることができ、これによってレール受材及びレール受部に沿って自在にスライド可能となり、追随可能な範囲が長孔の長さに規制されていた従来の場合に比べてエキスパンションジョイントの追随性を飛躍的に高めることができる。また、カバーホルダーの底面に長孔を設ける必要がなくなり生産性も高ることができる。
【００１０】
上記構成において、スライド台座部は、レール受材に躯体間隙長手方向（Ｙ方向）スライド可能かつ垂直上下方向（Ｚ方向）回動可能に連結し、さらには、レール受材は、凹溝内向きに丸溝状の咬合溝を備え、スライド台座部は、台座部本体の一側水平方向に突設してなる丸状膨頭突起を備え、この突起を前記レール受材の咬合溝に躯体間隙長手方向（Ｙ方向）スライド可能かつ垂直上下方向（Ｚ方向）に回動可能に連結してなる構成とするのが好ましい。
【００１１】
【発明の実施の形態】
以下、本発明の実施形態を、実施例に基づき具体的に説明する。
【００１２】
本発明の実施例にかかるエキスパンションジョイント１は、図１に斜視図で、図２、図３に断面図で示す如く、隣接する躯体Ａの天端部と躯体Ｂの壁面とを連結し、躯体Ａ、Ｂ間の間隙Ｖを被閉して間隙Ｖへの雨水浸入を防止するエキスパンションジョイントであって、躯体Ａの天端面上にその長手方向（Ｙ方向）に沿って配設固定された「レール受材１１」と、このレール受材１１にスライド可能に連結されてなる「スライド台座部１２」と、このスライド台座部１２上に取付角度自動調整可能に取付けられ、上面部上にＸ方向に向かうレール受部１３２とクリップ装着部１３４とを並設してなる「スライドホルダー１３」と、スライド台座部１２とスライドホルダー１３とを連結する「弾発性クリップ１５」と、躯体Ｂの壁面に配設固定された「支持受材１６」と、間隙Ｖ及び躯体Ａの天端部とを跨いで配設され、その躯体Ａ側をスライドホルダー１３のレール受部１３２にスライド可能に連結し、その躯体Ｂ側を前記支持受材１６に支持されてなる「カバーホルダー１４」と、このカバーホルダー１４に被嵌されてなる「カバー材２」とを主な構成要素として構成されている。なお、このエキスパンションジョイント１において、スライド台座部１２、スライドホルダー１３、支持受材１６及びカバーホルダー１４は、躯体の長手方向に適宜間隔をおいて複数配設され、これらによってカバー材２を支持している。
【００１３】
レール受材１１は、凹溝状に形成された長尺な金属製型材であって、底部１１１に躯体Ａにボルト孔１１４を穿設し、間隙Ｖ側の立上り片に丸溝状の咬合溝１１２をその開口部を凹溝内向きに形成し、他側の立上り片にリップ溝形状のガスケット固定部１１３をその開口部を凹溝外向きに形成してあり、このレール受材１１は、ボルト４をボルト孔１１４に打ち込んで躯体Ａの天端面に固定してある。
【００１４】
スライド台座部１２は、上記レール受材１１の凹溝内に挿入可能な長尺なピース状の金属製型材であって、台座部本体１２０の一側に上記レール受材１１の咬合溝１１２に緩嵌係合し得る丸状膨頭突起１２１を突設し、台座部本体１２０の上面に長手方向に沿って螺合溝１２２を形成してあり、このスライド台座部１２、上記レール受材１１の咬合溝１１２に丸状膨頭突起１２１を嵌合させてＹ方向にスライド可能であって、しかも図２に示す如く、丸状膨頭突起１２１が咬合溝１１２内で回動軸となって垂直上下方向（Ｚ方向）に回動するように連結してある。
なお、螺合溝１２２は、長手方向に沿って長尺で、ボルト幅分だけ間隔をおいて対面する対向壁に多数の小凹条を条設して形成してあり、溝内であれば長手方向いずれの箇所にもボルト４を螺着できるようになっている。
【００１５】
スライドホルダー１３は、平板状のホルダー本体１３１の上面部のＹ方向一側にＸ方向に向かう丸状膨頭突条部１３２ａ，１３２ａを所定間隔を保って並設してなるレール受部１３２を形成すると共に、このレール受部１３２の隣りすなわち上面部のＹ方向他側にクリップ装着部１３４を確保し、この中央部にボルト挿通孔１３３を穿設してある。
ここで、弾発性クリップ１５は、ばね脚１５２，１５２の中間部に浮設平坦部１５１を設けた略逆Ｗ形状の連結部材であって、浮設平坦部１５１の中央にボルト孔１５３を穿設して形成してなるものであり、スライドホルダー１３のクリップ装着部１３４上にこの弾発性クリップ１５を載せて、ボルト４をボルト孔１５３に挿通して螺合溝１２２に螺入し、弾発性クリップ１５を介してスライドホルダー１３をスライド台座部１２に垂直上下方向（Ｚ方向）に弾発変動可能すなわち取付角度自動調整可能に連結してある。
【００１６】
カバーホルダー１４は、間隙Ｖ及び躯体Ａの天端部を充分に跨ぐ長さを有する長尺平板部１４０の幅方向両側端縁に沿って立上げ片１４１，１４１を形成し、これら立上げ片１４１の外側両脇にこれに沿って上記レール受部１３２の丸状膨頭突条部１３２ａ，１３２ａを嵌合する咬合溝１４２、１４２を形成すると共に、立上げ片１４１，１４１より各々内向き片を突設して垂下片取付溝１４３を形成し、さらに図２に示すように、この垂下片取付溝１４３のＸ方向先端部に垂下片状に形成されたカバー係止片１４４の基端部を挿入してかしめ固着する一方、垂下片取付溝１４３のＸ方向基端部に起立片状に形成し、この起立片１４５ａの下面から丸膨頭突起１４５ｂを突設して形成してなる躯体係止片１４５の基端部を挿入してかしめ固着して形成してある。
このカバーホルダー１４は、咬合溝１４２、１４２内に丸状膨頭突条部１３２ａ，１３２ａを嵌入て、レール受材１１と直交する方向すなわちＸ方向にスライド可能に連結してある。
【００１７】
支持受材１６は、図３に示すように、適宜幅を有する略断面コ字状に形成されており、このコ字状部の下面部に丸溝状の支持受部１６ａを形成してなっており、躯体Ｂの壁面にＹ方向に沿って配設固定された長尺な係合被覆部材５の内側に適宜間隔をおいて配設しボルト固定してある。
上記カバーホルダー１４の躯体係止片１４５の起立片１４５ａを係合被覆部材５と支持受材１６との間に挿入し、躯体係止片１４５の丸膨頭突起１４５ｂを支持受部１６ａにＺ方向回動可能に嵌合するようにして、上記カバーホルダー１４のＸ方向基端部を躯体Ｂの壁面に取付けてある。
【００１８】
カバー材２は、図３に示すように、間隙Ｖ及び躯体Ａの天端部を充分に被覆し得るＹ方向に長尺なカバー体であって、Ｘ方向先端側に下り傾斜した上面部２０の先端部に垂下面２１を形成し、この垂下面２１を内側に屈曲して係止部２２とすると共に、上面部２０の基礎側を立ち上げて係止面２３を形成してある。
そして、このカバー材２は、Ｙ方向に適宜間隔をおいて配設されたカバーホルダー１４、１４・・に対して、係止部２２を上記カバーホルダー１４のカバー係止片１４４先端に係合し、係止面２３を上記カバーホルダー１４の躯体係止片１４５の起立片１４５ａに当接しネジ止めしてカバーホルダー１４に対して固定し、間隙Ｖ及び躯体Ａの天端部を被覆するように配設してある。
【００１９】
上記の如き構成のエキスパンションジョイント１によれば、地震などによって隣接する躯体Ａ，Ｂが相互にＹ方向に変動した場合には、Ｙ方向に長尺に配設されたレール受材１１とスライド台座部１２との相互Ｙ方向スライドで吸収することができるし、躯体Ａ，Ｂが相互にＸ方向に変動した場合には、Ｘ方向に長尺に配設されたカバーホルダー１４とスライドホルダー１３のレール受部１３２との相互Ｘ方向スライドで吸収することができる。このとき、スライド台座部１２とスライドホルダー１３とを弾発性クリップ１５で取付角度自動調整可能に連結してあれば、この相互Ｘ方向スライドにおいてカバーホルダー１４とスライドホルダー１３とのＸ方向スライドによってカバーホルダー１４の傾斜角度が変化したとしても、弾発性クリップ１５の変形によってスライドホルダー１３の傾斜角度もそれに追随して変化できるようになっている。さらに、躯体Ａ，Ｂが相互にＺ方向（垂直上下方向）に変動した場合には、図２に示す如く、レール受材１１の咬合溝１１２におけるスライド台座部１２の丸状膨頭突起１２１の回動と、支持受材１６の支持受部１６ａにおけるカバーホルダー１４の丸膨頭突起１４５ｂの回動とで吸収することができる。
【００２０】
更に本実施例では、図３に示すように、レール受材１１のガスケット固定部１１３に止水ガスケット３を嵌着して、躯体Ａの壁面に沿って下方から吹き上がってくる雨水が間隙Ｖ側に浸入するのを遮断するとともに、係合被覆部材５と躯体Ｂ壁面との間をコーキング処理し、更にエキスパンションジョイント１の下方において躯体Ａの天端部と躯体Ｂの壁面との間に止水シート６を配設して間隙Ｖへの雨水の浸入防止を確実としている。
【００２１】
図４は、上記エキスパンションジョイント１の構成を、隣接する躯体Ａの天端部と、躯体Ｂの天端部とを連結する屋根型エキスパンションジョイントに適用した例を示したものである。
【００２２】
すなわち、本例では、躯体ＡのＹ方向に沿って天端上にレール受材１１を固着し、該レール受材１１の咬合溝１１２にスライド台座部１２の丸状膨頭突起１２１を緩嵌係合してレール受材１１にスライド台座部１２をスライド可能に取付け、該スライド台座部１２上にスライドホルダー１３と更にその上に弾発性クリップ１５を載置し、該弾発性クリップ１５からスライド台座部１２に亘りボルト４を螺着して弾発性クリップ１５とスライド台座部１２間を弾発締着し、上記レール受材１１のガスケット固定部１１３に止水ガスケット３を嵌着する一方、図４に断面図で示す如く、上記躯体ＡのＸ方向の対称位置にある躯体Ｂの天端にも、上記同様にレール受材１１、スライド台座部１２、スライドホルダー１３及び弾発性クリップ１５を各々対向させて配設し、該スライドホルダー１３上に、両端にカバー係止片１４４を対称配設したカバーホルダー１４をＸ方向へスライド可能に取付け、躯体Ａと躯体Ｂの天端間に跨設したカバーホルダー１４にカバー材２を被せ、カバーホルダー１４のカバー係止片１４４にカバー材２の垂下片２１を掛着してなるように構成してある。
【００２３】
このように上記エキスパンションジョイント１の構成により隣接する躯体Ａの天端部と躯体Ｂの天端部とを連結しても、上述の例の場合と同様に躯体Ａ，Ｂが相互にＸ方向、Ｙ方向及びＺ方向のあらゆる方向に変動したとしても追従してその変動を吸収することができる。
【図面の簡単な説明】
【図１】本発明の一実施例にかかるエキスパンションジョイントの一例の主要な構成部分を示した斜視図である。
【図２】図１のエキスパンションジョイントを横から見た断面図である。
【図３】図１のエキスパンションジョイントの全体すなわち隣接する躯体において、一方の躯体の天端と他方の躯体の側壁間に跨設した状態を示した断面図である。
【図４】本発明にかかるエキスパンションジョイントの主要構成要素を隣接する躯体の天端間の対称位置に跨設した状態を示した断面図である。
【図５】従来のエキスパンションジョイントの一例を示した部分斜視図である。
【図６】従来のエキスパンションジョイントの他例を示した一部切欠斜視図である。
【符号の説明】
Ａ            躯体
Ｂ            躯体
Ｖ            間隙
１            エキスパンションジョイント
１１          レール受材
１１１        底部
１１２        咬合溝
１１３        ガスケット固定部
１１４        ボルト孔
１２          スライド台座部
１２０        台座部本体
１２１        膨頭突起
１２２        螺合溝
１３          スライドホルダー
１３１        ホルダー本体
１３２        レール受部
１３２ａ      丸状膨頭突条部
１３３        ボルト挿通孔
１３４        クリップ装着部
１４          カバーホルダー
１４０        長尺平板部
１４１        立上げ片
１４２        咬合溝
１４３        垂下片取付溝
１４４        カバー係止片
１４５ａ      起立片
１４５ｂ      丸膨頭突起
１５          弾発性クリップ
１５１        浮設平坦部
１５２        ばね脚
１５３        ボルト孔
１６          支持受材
１６ａ        支持受部
２            カバー材
２０          上面部
２１          垂下面
２２          係止部
２３          係止面
３            止水ガスケット
４            ボルト
５            係合被覆部材
６            止水シート
【図１】
0003670501.tif 000002
【図２】
0003670501.tif 000003
【図３】
0003670501.tif 000004
【図４】
0003670501.tif 000005
【図５】
0003670501.tif 000006
【図６】
0003670501.tif 000007